(57)【特許請求の範囲】
【請求項１】
少なくとも部分的に回転駆動及び打撃駆動されるドリル工具用の手持ち式工具装置であって、電気駆動部（２）、打撃機構（３）および電子式深さストッパ（４）を具え、該深さストッパ（４）が、非接触の距離センサ（５）と、電気駆動部（２）及び／又は打撃機構（３）に制御手段（７，７’，７”）を介して接続され、深さの目標値に達するまで距離センサの測定値（Ｍ）を信号化するための演算ユニット（６）とを具え、制御手段（７，７’，７”）による信号化に基づいて回転駆動を維持しつつ打撃作用を低減可能としたことを特徴とする手持ち式工具装置。
【請求項２】
請求項１記載の装置において、電気駆動部（２）により駆動される空圧打撃機構（３）を具え、該電気駆動部（２）の回転速度を制御手段（７）により低下可能としたことを特徴とする手持ち式工具装置。
【請求項３】
請求項２記載の装置において、制御手段（７）を、電気駆動部（２）の電流回路（８）内に配置した電流コントローラで構成したことを特徴とする手持ち式工具装置。
【請求項４】
請求項１記載の装置において、空圧打撃機構（３）を具え、その空圧ばね（９）を、電動空圧バルブ手段として構成した制御手段（７’）を介して外部（１０）に排気可能としたことを特徴とする手持ち式工具装置。
【請求項５】
請求項１記載の装置において、制御手段（７”）を、電気制御可能なクラッチ手段として、電気駆動部（２）および打撃機構（３）の間に配置したことを特徴とする手持ち式工具装置。
【発明の詳細な説明】
【０００１】
【発明の属する技術分野】
本発明は、少なくとも部分的に回転駆動及び打撃駆動されるドリル工具用の手持ち式工具装置に関するものである。
【０００２】
【従来の技術】
所定の深さの有底孔を形成するために、目標深度に達すると工具の先端による更なる切削を阻止する深さストッパが使用されている。特に、建設現場において、コンクリート、レンガ等の石材に高負荷用のアンカを打ち込む場合には、有底孔の深さを厳守することが重要である。これは、アンダカットアンカ等の打ち込みに際して、有底孔の深さをアンカに適合させる必要があるからである。
【０００３】
ドイツ特許第３２１４１８２号明細書には、ハンマードリル用のロッド状深さストッパが記載されている。この深さストッパは、ワークと機械的に接触することにより、回転駆動を維持しつつ工具の更なる侵入を阻止する。この場合には、空撃を抑制することにより、機械的な接触に基づいて打撃を間接的に停止させる。ドイツ特許第３９１２９９１号明細書には、弾性力の作用下で調整可能としたるロッド状深さストッパが記載されている。この深さストッパは、目標値に達すると、ドリル装置の電源回路を遮断する。このような機械的な深さストッパは取り扱いが容易でなく、使用者にとって支障となることも稀でなく、建設分野には適当でない。
【０００４】
ドイツ特許第２８３８９６８号明細書には、超音波、高周波又は光による感知システムを具える非接触の電子式深さストッパが記載されている。この感知システムは、深度を算定するために、工具の表面から手持ち式工具装置内に配置したセンサまでの距離を決定する。目標深度に達すると、演算手段からの出力に基づいて電源回路を遮断する。しかし、通常の建材では、切削されたドリル屑の摩擦が大きいために、ドリル工具が駆動停止によって有底孔内でロックされ、抜き出しが困難となる。
【０００５】
ドイツ特許第２８５５２１７号明細書には、目標値に達するとドリル工具の回転方向を反転させることにより、工具のロックを防止する衝撃ドリル装置が記載されている。しかし、大出力の装置では、工具の回転方向が反転する際にグリップが衝撃的にねじられる結果として、目標値に達したことを使用者が感知するが、作業の安全性を担保することができない。また、衝撃作用、したがってワークの切削作用は、深さが目標値に達した後も持続される。
【０００６】
【発明の課題】
本発明の課題は、非接触形の深さストッパを具え、ドリル工具のロックを生じることなく、ドリル孔の深さを正確に限定することができる手持ち式工具装置を提案することである。
【０００７】
【課題の解決手段】
この課題を解決するため、本発明による手持ち式工具装置は、請求項１に記載された事項を特徴とするものである。また、本発明の好適な実施形態は、従属請求項に記載したとおりである。
【０００８】
本発明による手持ち式工具装置は、電気駆動部、打撃機構および電子式深さストッパを具え、該深さストッパが、非接触の距離センサと、電気駆動部及び／又は打撃機構に制御手段を介して接続され、深さの目標値に達するまで距離センサの測定値を信号化するための演算ユニットとを具え、制御手段による信号化に基づいて回転駆動を維持しつつ打撃作用を低減可能としたことを特徴とするものである。
【０００９】
石材の除去工程にあたり、打撃作用は主として材料の切削に寄与するのに対し、回転運動は材料を排出する機能を担っている。したがって、打撃作用による非線形的に上昇する切削特性曲線に基づき、打撃力が十分に低減すると、材料の更なる切削は実質的に生じない。また、同一方向の回転運動を維持することにより、ドリル工具がロックされて動かなくなることや、グリップにおける許容限度を超えるねじれも防止される。
【００１０】
本発明の有利な実施形態に係る手持ち式工具装置は、電気駆動部により駆動される空圧打撃機構を具え、該電気駆動部の回転速度を制御手段により低下可能とされている。この場合、空圧打撃機構の非線形的に上昇する打撃特性曲線のために、電気駆動部の回転速度が制御手段により十分に低下する。制御手段を、電気駆動部の電流回路内に配置した位相制御回路等の電流コントローラとして形成するのが有利である。この制御手段は、標準的に手持ち式工具装置内に内蔵されており、したがって深さ制御に関しては演算ユニットのみを追加すれば良い点で経済的である。
【００１１】
空圧打撃機構を具える手持ち式工具装置の他の有利な実施形態においては、制御手段を空圧ばねと外気との間に配置された電動空圧バルブ手段として構成する。この空圧バルブ手段は、衝撃の伝達に必要となるガス圧を排気すると共に、打撃作用を十分に緩和し、又は完全に遮断する。
【００１２】
打撃機構を具える手持ち式工具装置の他の有利な実施形態においては、制御手段を、電気駆動部と打撃機構との間に配置された、電気制御可能なクラッチ手段として形成する。このクラッチ手段は、打撃駆動部への動力伝達を遮断する。
【００１３】
更に、上記の各実施形態は互いに組み合わせることができ、それにより多様な制御が実行可能である。
【００１４】
【好適な実施形態】
以下、本発明を図示の好適な実施形態について更に具体的に説明する。
【００１５】
図１に示す手持ち式工具装置１は、電気駆動部２と、空圧打撃機構３とを具え、レーザーパルスに基く非接触形の電子式深さストッパ４を有する。深さストッパ４は、センサ５と演算ユニット６とを具え、演算ユニット６は目標値に達するまで深さの測定値Ｍを信号化する。演算ユニット６に第１,第２及び第３の制御手段７，７’，７”を接続する。第１の制御手段７は、電源に対する電気駆動部２の電流回路８内に配置した位相制御された電流コントローラとして形成し、手持ち式工具装置１のグリップに配置された押し込み型のモータスイッチに接続する。第２の制御手段７’は、空圧打撃機構３の空圧ばね９と外気１０との間に配置された電気制御可能な空圧バルブ手段として形成する。第３の制御手段７”は、電気駆動部２と打撃機構３との間に配置された、電気制御可能なクラッチ手段１１として形成する。
【図面の簡単な説明】
【図１】  本発明による工具装置の一実施形態を示す説明図である。
【符号の説明】
１  手持ち式工具装置
２  電気駆動部
３  空圧打撃機構
４  深さストッパ
５  センサ
６  演算ユニット
７，７’，７”  制御手段
８  電流回路
９  空圧ばね
１０  外気
１１  クラッチ手段
【図１】
0004071514.tif 000002